(57)【要約】本開示は、上側部分及び下側部分を有するオストミーパウチに関し、オストミーパウチは、外周シールに沿って接合されて老廃物を収容するキャビティを形成する第１のパウチ壁及び第２のパウチ壁と、オストミーパウチ内に排泄物を受け入れるように第１のパウチ壁に設けられた入口とを備え、入口の開口は上側部分に設けられ、オストミーパウチは、２つの透明な可撓性のフィルム層を備える上部視認部材を更に備え、２つのフィルムは第１のパウチ壁と第２のパウチ壁との間で上側部分の上側セクションに設けられており、外周シールによって第１のパウチ壁又は第２のパウチ壁にシールされており、上部視認部材には最下縁が設けられている。
2015531610.tif 000002
【特許請求の範囲】
【請求項１】
上側部分及び下側部分を有するオストミーパウチであって、
外周シールに沿って接合されて老廃物を収容するキャビティを形成する第１のパウチ壁及び第２のパウチ壁と、
前記オストミーパウチ内に排泄物を受け入れるように前記第１のパウチ壁に設けられた入口と
を備え、
該入口の開口は前記上側部分に設けられ、
前記オストミーパウチは、２つのフィルム層を備える上部視認部材を更に備え、少なくとも一方が透明な可撓性フィルムであり、前記２つのフィルムは前記第１のパウチ壁と前記第２のパウチ壁との間で前記上側部分の上側セクションに設けられており、外周シールによって前記第１のパウチ壁又は前記第２のパウチ壁にシールされており、前記上部視認部材には最下縁が設けられていることを特徴とするオストミーパウチ。
【請求項２】
前記上部視認部材は第１のシート層及び第２のシート層を備え、それらの下側縁に沿ってともにシールされて前記上部視認部材の前記最下縁を提供し、前記第１のシート層は、前記第１の側壁に、それらの共通の外周縁に沿ってシールされ、前記第２のシート層は、前記第２の側壁に、それらの共通の外周縁に沿ってシールされる、請求項１に記載のオストミーパウチ。
【請求項３】
前記上部視認部材は、前記最下縁を形成するように折り曲げられる単一のシートと、前記第１の側壁及び前記第２の側壁にそれぞれシールされる２つのシート層とを備える、請求項１に記載のオストミーパウチ。
【請求項４】
前記最下縁は、前記オストミーパウチ内に水平な向きで設けられる、請求項１〜３のいずれか一項に記載のオストミーパウチ。
【請求項５】
前記最下縁は、前記オストミーパウチ内に傾斜した向きで設けられる、請求項１〜３のいずれか一項に記載のオストミーパウチ。
【請求項６】
取り外し可能な連結手段が前記上部部材の外面に設けられる、請求項１〜５のいずれか一項に記載のオストミーパウチ。
【請求項７】
前記取り外し可能な連結手段は、前記シート層のそれぞれにフックストリップ及びループストリップをそれぞれ備える、請求項６に記載のオストミーパウチ。
【請求項８】
前記第１のパウチ壁及び／又は前記第２のパウチ壁は、ベージュで着色されたフィルムのような不透明なフィルムである、請求項１〜７のいずれか一項に記載のオストミーパウチ。
【請求項９】
不織布層が、前記第１のパウチ壁の近位側と、好ましくは前記第２の壁の遠位側とにも設けられる、請求項１〜８のいずれか一項に記載のオストミーパウチ。
【請求項１０】
前記オストミーパウチは、該オストミーパウチの前記下側部分に閉止可能な排出開口を有する排出可能なパウチである、請求項１〜９のいずれか一項に記載のオストミーパウチ。
【発明の詳細な説明】
【技術分野】
【０００１】
本開示は、上側部分及び下側部分を有するオストミーパウチに関し、このオストミーパウチは、外周シールに沿って接合されて老廃物を収容するキャビティを形成する第１のパウチ壁及び第２のパウチ壁と、オストミーパウチ内に排泄物を受け入れるように第１のパウチ壁に設けられた入口とを備え、入口の開口は上側部分に設けられている。
【背景技術】
【０００２】
オストミーパウチを適用するとき、オストミーパウチがストーマの周りに正確に位置することが重要である。適切な位置決めを確実にするためには、ユーザがストーマを点検することが望ましい。ストーマはオストミーパウチによって覆われるため、この点検は、透明な側壁又は側壁の少なくとも透明な部分を有するオストミーパウチを通して見ることによって行うことができる。そのようなオストミーパウチの例が、例えば米国特許第３，５７０，４９０号明細書及び国際公開第２００８／１５０９９１号明細書から公知である。
【０００３】
国際公開第２００８／１５０９９１号明細書に開示されているオストミーパウチでは、２つのパネルが設けられており、一方のパネルはオストミーパウチの上部を覆い、第２のパネルがオストミーパウチの下側部分を覆う。これらの２つのパネルは、オストミーパウチの全域で互いにシールされることなく僅かに重なる。この構成は、ユーザが、重なりを手で離してストーマの状態を点検することを可能にする。
【０００４】
これによって、ストーマを目視で点検することが可能となるが、オストミーパウチをユーザの皮膚に適用する間に、ユーザは、ストーマ領域を上から見ることになるため、自身がしていることを見るのが難しくなる可能性がある。ユーザがオストミーパウチを位置決めし、鏡によってストーマの状態を点検するという可能性が最も高い。しかし、これは、ユーザがストーマ及びオストミーパウチを間接的にしか見えないため、幾分不都合であるとともに難しい可能性がある。幾つかの状況では、ユーザを、オストミーパウチを点検して交換する看護師又は他の医療スタッフによって助けることができる。この状況では、このアシスタントがより良く直接的に見ることができるが、アシスタントはオストミーパウチのユーザに常に利用可能であるわけではない。そのため、目で見て点検することは、可能ではあるが、ユーザにとっては不都合である。
【発明の概要】
【０００５】
本開示の目的は、適用しやすく、ストーマをより容易に点検することを可能にするオストミーパウチを提供することである。
【０００６】
この目的は、最初に言及した種類のオストミーパウチによって達成され、オストミーパウチは、２つのフィルム層を備える上部視認部材を更に備え、少なくとも一方が透明な可撓性フィルムであり、２つのフィルムは第１のパウチ壁と第２のパウチ壁との間で上側部分の上側セクションに設けられており、外周シールによって第１のパウチ壁又は第２のパウチ壁にシールされており、上部視認部材には最下縁が設けられている。
【０００７】
上部視認部材を設けることは、上部視認部材がオストミーパウチの内部を見ることを可能にするため有利である。これは、着用者が、オストミーパウチ、すなわちワンピースオストミーパウチをストーマの周りに位置することを容易にすると同時に、ベージュ又は他の不透明なオストミーパウチが提供する行動の自由を依然として提供する。さらに、本開示によるオストミーパウチは、ユーザがバリアのストーマ周辺領域を見ることを可能にし、それによって、漏れ、皮膚のかぶれ、バリアの低下等を、初期の段階において、ベージュのオストミーパウチにおいて通常であるよりも早く見つけることができるため有利である。加えて、オストミーパウチに腸内ガスフィルタが設けられる場合、上部視認部材は、ストーマからの物質がフィルタに達して詰まらせることを回避することによって、フィルタを保護するものとして働くことができる。
【０００８】
さらに、目視で点検するために上部視認部材を有するという解決策も、オストミーパウチを形成する２つのベージュのフィルムを上部視認部材が有することを可能にするため有利であると分かり得る。この結果、ユーザが装着するとオストミーパウチのより行動の自由が高い使用を可能にするベージュのオストミーパウチが得られる。
【０００９】
第１の実施形態では、上部視認部材は第１のシート層及び第２のシート層を備え、それらの下側縁に沿ってともにシールされて上部視認部材の最下縁を提供し、第１のシート層は、第１の側壁に、それらの共通の外周縁に沿ってシールされ、第２のシート層は、第２の側壁に、それらの共通の外周縁に沿ってシールされる。
【００１０】
第２の実施形態では、上部視認部材は、最下縁を形成するように折り曲げられる単一の透明なシートと、第１の側壁及び第２の側壁にそれぞれシールされる２つのシート層とを備える。
【００１１】
１つの実施形態では、上部視認部材の最下縁は、水平な向き、すなわちオストミーパウチの長手方向に対して垂直に設けられている。これは、製造が比較的簡単であり得る。代替的に、上部視認部材の最下縁は、オストミーパウチの内部に傾斜した向きで設けてもよい。これは、水が流れ落ちることができ、上部視認部材によって形成されるポケット内に捕捉されないため、有利であり得る。
【００１２】
上部視認部材を閉位置に保持するために、取り外し可能な連結手段が、上部部材の互いに面するシート層の外面に設けられることが有利であると分かっている。したがって、１つの実施形態では、取り外し可能な連結手段は、シート層のそれぞれのフックストリップ及びループストリップをそれぞれ含み、Ｖｅｌｃｒｏ（登録商標）ファスナーとして一般的に知られているものを確立することができる。
【００１３】
好ましくは、第１の壁及び第２の壁は、ベージュで着色されたフィルムのような不透明なフィルムである。これによって、オストミーパウチに、ユーザが装着したときに行動の自由を可能にする見た目を与える。しかし、代替的には、フィルムの一方のみを不透明にすることができ、他方が透明であることが実現される。
【００１４】
ユーザの快適さを向上させるために、好ましくは不織布層が、第１のパウチ壁の近位側と、好ましくは第２の壁の遠位側とにも設けられる。
【００１５】
オストミーパウチは、オストミーパウチの下側部分に閉止可能な排出開口を有する排出可能なパウチであってもよいことが実現される。代替的に、オストミーパウチは、１回使い切りの使い捨てパウチであってもよい。
【００１６】
以下、添付の図面を参照して、本開示によるオストミーパウチをより詳細に説明する。
【図面の簡単な説明】
【００１７】
【図１】本開示の第１の実施形態によるオストミーパウチの、その遠位側からの正面図である。
【図２】本開示の第２の実施形態によるオストミーパウチの、その遠位側からの正面図である。
【図３】本開示の１つの実施形態によるオストミーパウチの概略断面図である。
【図４】本開示の１つの実施形態による閉じたオストミーパウチの断面図である。
【図５】本開示の１つの実施形態による開いたオストミーパウチの断面図である。
【図６】本開示の別の実施形態による開いたオストミーパウチの断面図である。
【発明を実施するための形態】
【００１８】
図１〜図３を参照すると、好ましい実施形態によるオストミーパウチは、第１の側壁、すなわち近位の側壁１と、第２の側壁、すなわち遠位の側壁２とを備えている。第１の側壁１及び第２の側壁２は、それらの外周に沿って外周シール３によって互いに接合されている。オストミーパウチは、上側部分４及び下側部分５を有している。第１の側壁１の上側部分４には、ストーマの開口６が設けられている。遠位の第２の側壁２には、オストミーパウチの上側部分４に腸内ガスフィルタ８を設けることができる。図面に示されている例では、下側部分５には、オストミーパウチのその内容部を排出する閉止可能な排出部分が設けられている。しかし、本開示によって、閉止可能な排出開口を有しない閉じたパウチも提供できることが実現される。オストミーパウチの近位側には、不織布フィルムの快適な層が設けられており、外周シール３ｃ及び３ｄによって第１の側壁１に溶接されている。図面には示されていないが、不織布層を、オストミーパウチの遠位側に設けることもでき、すなわち、第２の側壁２にその外周をシールすることができる。
【００１９】
第１の側壁１及び第２の側壁２は、好ましくは、ベージュで着色された可撓性のプラスチックフィルムのような、不透明な、又は少なくとも部分的に不透明なフィルムから作られている。上側部分４の上部では、上部視認部材７が第１の側壁１と第２の側壁２との間に挿入されている。この上部視認部材７は、ヒートシールすること（７４）（図３、図４及び図５を参照）、又は、透明なフィルムを折って（７５）（図６を参照）２つの対向するシート層７１，７２にすることによって、それらの最下縁７３においてともに接合された２層の透明なフィルム７１，７２を備えることができる。最下縁７３は、図２に点線で示されるように、水平、すなわちオストミーパウチの長手方向に対して実質的に垂直にすることができるか、又は、上部視認部材７の最下縁７３は、図１に示されるように傾斜しているものとすることができる。上部視認部材７は、オストミーパウチの外周の上部に沿ってシール部３ａ，３ｂにおいて、オストミーパウチの第１の側壁１及び第２の側壁２の上部に溶接することができる。それによって、必要なときにオストミーパウチの内部を見るために開くことができるポケットが形成される。
【００２０】
２つのシート層７１，７２の対向する面に、図１〜図６に示されるように、一方の透明なシート層７１のフック要素ストリップ１１と、他方のシート層７２のループ要素ストリップ１２とのような、取り外し可能なファスナー部材１１、１２を設けることができる。
【００２１】
図４〜図６では、開口６（図３を参照）の周りに取り付けられた接着剤ウェハ１３によってストーマ２０の周りの着用者の皮膚１０にパウチが付着されて示されている。図４では、パウチは、上部視認オプションが閉じた状態で示されており、すなわち、この場合、透明な上部視認部材７は、その２つのシート層７１，７２が互いに隣接する状態と、ファスナー部材１１，１２が互いに係合した状態とで折り込まれている。図５では、上部視認部材７は開いており、２つのシート層７１，７２は広げられ、着用者がストーマに視覚的にアクセスすることを可能にする。上部視認部材７は、図４及び図５に示される実施形態では、最下縁７３に沿ってシール７４においてともに溶接された２つの透明なシート部材７１，７２によって作られる。代替的には、上部視認部材７は図６に示されており、この場合、上部視認部材７は、折り曲げられた透明なシートから作られ、それによって、２つのシート層７１，７２を形成し、上部視認部材７の最下縁７３に沿って折り目が設けられている。
【００２２】
上記の記載及び以下において、上側部分、下側部分、水平な向きのような方向に関する用語を用いる場合、これらの用語は、使用中にパウチを異なる向きに位置させることができるため、相対的な用語として理解されるべきである。
【図１】
2015531610.tif 000003
【図２】
2015531610.tif 000004
【図３】
2015531610.tif 000005
【図４】
2015531610.tif 000006
【図５】
2015531610.tif 000007
【図６】
2015531610.tif 000008
【国際調査報告】
2015531610.tif 000009
2015531610.tif 000010
2015531610.tif 000011